(57)【要約】【課題】低コストで耐ノイズ性に優れ、異常の発生により正常動作と同様に動作することを防止する遊技機、電源ユニット、及びメイン基板を提案し、快適な遊技環境を提供する。【解決手段】スイッチ信号を送信するスイッチ手段と、受信した該スイッチ信号に基づいて操作の可否を決定する制御手段とを備えた遊技機であって、前記スイッチ手段に、前記スイッチ信号を複数の信号として２以上の接続線で送信する送信手段を備え、前記制御手段に、上記２以上の接続線に接続して上記複数の信号を受信する受信手段を備えた遊技機。【選択図】    図５
2004313569.tif 000002
【特許請求の範囲】
【請求項１】
スイッチ信号を送信するスイッチ手段と、
受信した該スイッチ信号に基づいて操作の可否を決定する制御手段とを備えた遊技機であって、
前記スイッチ手段に、前記スイッチ信号を複数の信号として２以上の接続線で送信する送信手段を備え、
前記制御手段に、上記２以上の接続線に接続して上記複数の信号を受信する受信手段を備えた
遊技機。
【請求項２】
前記接続線を２本で形成し、
前記送信手段を、入力されたスイッチ信号を一方の接続線にはそのまま出力し他方の接続線には逆転して出力する差動式ドライバで形成し、
前記受信手段を、一方の接続線と他方の接続線から受信する信号が逆転しているときに一方の信号をそのまま出力する差動式レシーバで形成した
請求項１記載の遊技機。
【請求項３】
前記接続線のそれぞれから受信する各信号に基づいて異常の有無を検知する異常検知手段を備えた
請求項１又は２記載の遊技機。
【請求項４】
差動式レシーバに入力する一方の接続線と他方の接続線が逆転しているときに正常信号を出力し、それ以外のときに異常信号を出力するフォトカプラ式検知手段を備えた
請求項２記載の遊技機。
【請求項５】
スイッチ信号を送信するスイッチ手段に、該スイッチ信号を複数の信号として２以上の接続線で送信する送信手段を備えた
電源ユニット。
【請求項６】
スイッチ信号を受信する受信手段に、２以上の接続線に接続して複数の信号を受信する受信手段を備えた
メイン基板。
【発明の詳細な説明】
【０００１】
【発明の属する技術分野】
この発明は、例えば価値媒体等の価値に対応する遊技数にしたがって遊技を許容するパチンコ機やパチスロ機のような遊技機、及び該遊技機に使用する電源ユニット及びメイン基板に関する。
【０００２】
【従来の技術】
従来、例えばパチスロ機には、大当たり確率を変更できるように設定変更する設定変更スイッチを筐体内部のメイン基板に接続して備えている。該設定変更スイッチは、店員が鍵を使って正面パネルを開くと操作できるようになっている。
【０００３】
さらに、不正防止のために、上記設定変更を可能にするための変更許可スイッチを電源ユニットに備えている。当該変更許可スイッチは、店員が鍵を差込み回すことでＯＮとなるように形成しており、ＯＮの間のみ、前記設定変更スイッチの操作が有効となるように構成している。
【０００４】
しかし、前記変更許可スイッチのＯＮ／ＯＦＦは、電源ユニットの回路基板上の配線を通じて一本の接続線でメイン基板に接続しているため、例えば針金が配線に接触する等の事態により、前記変更許可スイッチＯＮと同一状態が配線上で発生してしまうこととなる。
【０００５】
このように、不正やトラブルによる異常が発生しやすいスイッチとその配線に対して、スイッチのＯＮ／ＯＦＦの切替え時に一定のパルス幅の信号を送信し、該信号の有無等により異常や不正を検出するパチンコ機が提案されている（特許文献１参照）。
【０００６】
【特許文献１】
特開２０００−２６２６６９号公報。
【０００７】
【発明が解決しようとする課題】
しかし、上記パルス幅の信号を用いた方法では、送信部及び受信部の回路規模が大きくなり、コスト高となる上に、耐ノイズ性も低下することとなっていた。
【０００８】
この発明は、低コストで耐ノイズ性に優れ、異常の発生により正常動作と同様に動作することを防止する遊技機、電源ユニット、及びメイン基板を提案し、快適な遊技環境を提供することを目的とする。
【０００９】
【課題を解決するための手段】
この発明は、スイッチ信号を送信するスイッチ手段と、受信した該スイッチ信号に基づいて操作の可否を決定する制御手段とを備えた遊技機であって、前記スイッチ手段に、前記スイッチ信号を複数の信号として２以上の接続線で送信する送信手段を備え、前記制御手段に、上記２以上の接続線に接続して上記複数の信号を受信する受信手段を備えたことを特徴とする。
【００１０】
前記スイッチ信号は、ＯＮ／ＯＦＦ等の２値信号、あるいは切替えにより複数の状態を示す切替信号等の信号で構成することを含む。
前記スイッチ手段は、鍵を回すこと又は押下すること等によりＯＮ／ＯＦＦを切替えるＯＮ／ＯＦＦスイッチ、又は、選択ボタン等の複数の選択肢が選択可能な選択スイッチ等のスイッチで構成することを含む。
【００１１】
前記操作は、大当たり確率等の遊技条件設定操作、又は、メダル投入等の価値入力に基づく遊技操作等、係員や利用者が行う操作とすることを含む。
前記制御手段は、ＣＰＵ又はＭＰＵ等の制御装置で構成することを含む。
前記遊技機は、パチスロ機やパチンコ機等、遊技を行う装置で構成することを含む。
【００１２】
前記送信手段は、入力されたスイッチ信号を一方の接続線にはそのまま出力し他方の接続線には逆転して出力する差動式ドライバ等の送信ドライバ、入力されたスイッチ信号を複数の接続線に分配してそのまま送信する分配器、あるいは、前記スイッチ手段を１操作で同時に切替える複数のスイッチで形成した場合に各スイッチの信号をそれぞれの接続線で送信する接続インタフェース等、スイッチ信号を２以上の接続線で送信する装置で構成することを含む。
【００１３】
前記受信手段は、一方の接続線と他方の接続線から受信する信号が逆転しているときに一方の信号をそのまま出力する差動式レシーバ等の受信ドライバ、複数の接続線から受信した信号に基づいて１の信号出力を行う統合器、あるいは、複数の接続線のそれぞれをそのまま接続する接続インタフェース等、２以上の接続線から受信する信号に基づいて１の結果を得ることが可能な装置で構成することを含む。
【００１４】
前記構成により、配線への針金の接触等により、スイッチ手段を操作していないにもかかわらずＯＮ信号やＯＦＦ信号等のスイッチ信号が発生する異常動作を防止することができ、正常動作を確保することが可能となる。
【００１５】
この発明の態様として、前記接続線を２本で形成し、前記送信手段を、入力されたスイッチ信号を一方の接続線にはそのまま出力し他方の接続線には逆転して出力する差動式ドライバで形成し、前記受信手段を、一方の接続線と他方の接続線から受信する信号が逆転しているときに一方の信号をそのまま出力する差動式レシーバで形成することができる。
これにより、１のスイッチ信号から正逆２つの信号を回路的に同時生成してタイムラグのない論理回路を形成することができ、低コストで異常動作の防止を実現することができる。
【００１６】
またこの発明の態様として、前記接続線のそれぞれから受信する各信号に基づいて異常の有無を検知する異常検知手段を備えることができる。
【００１７】
前記異常検知手段は、差動式レシーバに入力する一方の接続線と他方の接続線で信号が逆転しているときに正常信号を出力し、それ以外のときに異常信号を出力する検知手段、又は、差動式レシーバに入力する一方の接続線と他方の接続線で信号が同一であるときに正常信号を出力し、それ以外のときに異常信号を出力する検知手段等、各接続線から受信する各信号が正常動作ではありえない組合せ（論理値）となったことを検出可能な装置で構成することを含む。
【００１８】
前記構成により、異常動作の発生を検知することができる。例えば２本の接続線の場合であれば、１方の接続線でスイッチ手段をスイッチＯＮした状態が発生し、その後にさらに他方の接続線でスイッチ手段をスイッチＯＮした状態が発生したような場合であっても、途中に存在する正常動作ではありえない組合せを検知できるため、スイッチ手段を操作せずに制御手段で制御する操作の可否を変更するといったことを防止することができる。
【００１９】
またこの発明の態様として、差動式レシーバに入力する一方の接続線と他方の接続線が逆転しているときに正常信号を出力し、それ以外のときに異常信号を出力するフォトカプラ式検知手段を備えることができる。
【００２０】
前記フォトカプラ式検知手段は、正方向の信号で発光するＬＥＤと逆方向の信号で発光するＬＥＤを組合せ、いずれか一方の発光をフォトトランジスタで検知すれば正常、それ以外は異常として検出するように形成することを含む。
【００２１】
前記構成により、一方の接続線の信号切替えと他方の接続線の信号切替えにタイムラグが発生した場合にこれを検出することができ、異常な動作による操作の可否の変更を防止することができる。
【００２２】
またこの発明は、スイッチ信号を送信するスイッチ手段に、該スイッチ信号を複数の信号として２以上の接続線で送信する送信手段を備えた電源ユニットとすることができる。
【００２３】
これにより、電源ユニットに備えたスイッチ手段に対して、異常状態によるスイッチ信号の発生を防止することができる。
【００２４】
またこの発明は、スイッチ信号を受信する受信手段に、２以上の接続線に接続して複数の信号を受信する受信手段を備えたメイン基板とすることができる。  前記メイン基板は、ＣＰＵ又はＭＰＵ等の制御手段を備えて、遊技機のメインとなる主基板で構成することを含む。
前記構成により、異常状態でのスイッチ信号が発生することを防止し、正常なスイッチ信号の受信時に実行する動作をスイッチ手段の操作なく実行する事態を防止することができる。
【００２５】
【発明の効果】
この発明により、異常の発生により正常動作と同様に動作することを防止することができ、遊技機を設置している遊技ホールが思わぬ不利益を被ることを防止することができる。
【００２６】
【発明の実施の形態】
この発明の一実施形態を以下図面と共に説明する。
まず、図１に示すパチスロ機１の正面図と共に、パチスロ機１の外観について説明する。
【００２７】
該パチスロ機１は、前面上部に多数のＬＥＤ１２と上部ランプ１３を備える。前面中央部には液晶表示装置１４、中間ランプ１５、７セグメントＬＥＤ１６、プレイヤ操作用のプレイヤ操作スイッチ１７、遊技操作用の押しボタン１８、メダル投入口１９および返却ボタン２０を備える。前面下部にはメダル返却口（価値出力手段）２１とスピーカ２２を備える。
【００２８】
上記構成により、プレイヤによるメダル投入口（受付手段）１９へのメダル（価値）の投入（入力）を受け付け、投入されたメダル数に応じて遊技を許容することを可能にしている。
【００２９】
該遊技に際しては、入力装置であるプレイヤ操作スイッチ１７及び押しボタン１８の押下操作を利用者に許容し、これらの操作に基づいて遊技を実行する。プレイヤに返却ボタン２０が押下された場合は、メダル返却口２１からメダルを返却する。
【００３０】
次に、図２に示す前面開放状態のパチスロ機１の正面図と共に、パチスロ機１の内部構造について説明する。
該パチスロ機１は、縦長の箱形状に設けられた筐体の本体２３側と、その前面を片開き式に開閉自由に覆う前面パネル２４とで構成している。
【００３１】
前面パネル２４の内面には、サブ基板２６、ランプ基板２７、ＬＥＤ基板２８、音源基板２９、及び液晶基板３０を取り付けている。
本体２３側には、主基板２５、及び電源ユニット３１を取り付けている。
【００３２】
前記電源ユニット３１は、主基板２５、ボタン制御基板３２、メダルセレクタ（価値入力手段）３３、７セグメントＬＥＤ基板３４などの機器に対して、電源ライン用のハーネス３５を用いて接続している。なお、主基板２５に対して２本のハーネス３５，３５で接続している。
【００３３】
前記主基板２５は、ＣＰＵ、ＲＯＭ、及びＲＡＭで構成した制御装置、及びデータ管理端末（図示省略）と通信する通信インタフェース（通信手段）とを備えており、リール３７の駆動制御等遊技に必要な制御を実行する。
【００３４】
前記サブ基板２６は、主基板２５から各基板（装置）への制御信号を、信号線３６を介して中継する。
前記ランプ基板２７は、上部ランプ１３（図１）及び中間ランプ１５（図１）を配設しており、該上部ランプ１３及び中間ランプ１５の点灯／消灯を制御する。
【００３５】
前記ＬＥＤ基板２８は、ＬＥＤ１２（図１）を配設しており、該ＬＥＤ１２の点灯／消灯を制御する。
前記音源基板２９は、遊技用の効果音や音楽等を発音するための音源であり、スピーカ２２を介して効果音や音楽を鳴らす。
【００３６】
前記液晶基板３０は、液晶表示装置１４（図１）を備え、遊技等に関する表示を行う。
前記電源ユニット３１は、各装置に必要な電源を供給する。また、後述する鍵スイッチユニットを備えている。
【００３７】
前記ボタン制御基板３２は、プレイヤ操作スイッチ１７（図１）及び押しボタン１８（図１）を備えており、利用者によって押下された押下信号を、主基板２５に送信する。
【００３８】
前記メダルセレクタ３３は、メダル投入口１９（図１）から投入されたメダルを真偽判別し、真メダルをカウントして偽メダルを排除する。
前記７セグメントＬＥＤ基板３４は、前記７セグメントＬＥＤ１６（図１）を備えており、主基板２５の制御に従って７セグメントＬＥＤ１６に必要な表示を行う。
リール３７は、駆動装置であるモータ（図示省略）の回転により回転し、停止位置をセンサ（図示省略）で検出して主基板２５に送信する。
【００３９】
以上の内部構造により、パチスロ機１は、利用者によるプレイヤ操作スイッチ１７及び押しボタン１８の操作に基づいて、リール３７の回転、停止を実行し、該リール３７の停止位置によって主基板２５の制御によりメダルを払いだす遊技を実行することができる。
【００４０】
次に、図３及び図４に示す斜視図と共に、電源ユニット３１の外観と構成について説明する。
電源ユニット３１は、図３に示すように、筐体４０の正面に上からリセットボタン４１、鍵スイッチ４３、押下スイッチ４５を備えており、筐体４０の右側面には空気対流による放熱用の放熱穴４６を形成している。
【００４１】
筐体４０の内部には、陰線に示すように電源基板４４を備えており、該電源基板に鍵スイッチユニット（スイッチ部）４２を装着している。
該鍵スイッチユニット４２は、図４に示すように金属部材（若しくは樹脂部材）で形成した外装５０で囲繞しており、外部から針金やゴミ等が入り込まないように遮蔽している。
【００４２】
外装５０の内部には、スイッチ基板５１を備え、該スイッチ基板に前記鍵スイッチ４３を装着している。
ここで、該鍵スイッチ４３は、鍵６０が差し込まれて回されると、スイッチをＯＮする。
【００４３】
また、上記スイッチ基板５１は、後述する差動式ドライバを備えており、鍵スイッチ４３からの信号を２本の配線により接続インタフェース５３から出力する。該接続インタフェースを装着するスイッチ基板５１の接続インタフェース５４では、２本の配線からの各信号を配線パターン５５で２つの配線により送信する構成としている。
【００４４】
以上の構成により、鍵スイッチ４３のスイッチ信号を外部から操作することを難易にしている。すなわち、スイッチ信号が１出力である鍵スイッチ４３の近傍は、外装５０で遮蔽されて外部から接触することが物理的に不可能となっている。また、放熱穴４６から針金等の挿入が可能な電源基板４４では、すでにスイッチ信号を送信する配線が２本となっており、物理的に手を加えて信号操作することを難易にしている。
【００４５】
次に、図５に示す回路図と共に、前記電源ユニット３１と主基板２５との接続部について説明する。
電源ユニット３１には、前述したようにスイッチ基板５１を備えており、該スイッチ基板５１に、鍵スイッチ４３、抵抗Ｒ１、差動式ドライバ６０を備えている。
【００４６】
前記鍵スイッチ４３は、差動式ドライバの入力の電圧レベルを切替えるスイッチである。該鍵スイッチ４３は、上記５Ｖ電源との間に入力ラインａで接続している差動式ドライバ６０に対して、鍵スイッチ４３をＯＦＦにすると信号Ｈ（Ｈｉｇｈ）が入力され、ＯＮにすると信号Ｌ（Ｌｏｗ）が入力されるように切替えを行う構成としている。
【００４７】
前記差動式ドライバ６０は、鍵スイッチ４３がＯＦＦの間は、入力ラインａの信号Ｈに対し、出力ラインｂから信号Ｈを出力し、出力ラインｃから信号Ｌを出力する。
【００４８】
鍵スイッチ４３がＯＮの間は、入力ラインａの信号Ｌに対し、出力ラインｂから信号Ｌを出力し、出力ラインｃから信号Ｈを出力する。
【００４９】
上記出力ラインｂ，ｃは、前述した配線パターン５５，５５で形成しており、電源ユニット３１の外部に存在する主基板２５に対しては、ハーネス３５，３５で形成する接続ラインｄ，ｅを介して接続する。
【００５０】
主基板２５には、上記接続ラインｄ，ｅをそれぞれ差動式レシーバ６２に接続する入力ラインｆ，ｇ（配線パターン６１，６１）を備える。上記差動式レシーバ６２には出力ラインｈ（配線パターン６３）を備え、該出力ラインｈは、バッファ６９を介してＣＰＵ７０に接続する。
【００５１】
上記差動式レシーバ６２は、入力ラインｆから信号Ｈ、入力ラインｇから信号Ｌを受信すると出力ラインｈから信号Ｈを送信する。入力ラインｆから信号Ｌ、入力ラインｇから信号Ｈを受信すると出力ラインｈから信号Ｌを送信する。入力ラインｆ，ｇから受信する信号が上記組合せ以外であれば、出力ラインｈから不定な信号（ＨやＬ等に一意に定まらない信号）を出力する。
【００５２】
また、前記入力ラインｆ，ｇには、フォトカプラ６４を接続する。該フォトカプラ６４は、入力ラインｆから信号Ｈ、及び入力ラインｇから信号Ｌを受信したときに発光するＬＥＤ６５と、入力ラインｆから信号Ｌ、及び入力ラインｇから信号Ｈを受信したときに発光するＬＥＤ６６とを備える。
【００５３】
該フォトカプラ６４には、フォトトランジスタ６７も備える。該フォトトランジスタ６７は、ＬＥＤ６５，６６のいずれか一つが発光すると出力ラインｉから信号Ｌを出力してバッファ６９を介してＣＰＵ７０に送信する。それ以外の場合では、出力ラインｉから信号Ｈを出力する。
【００５４】
前記バッファ６９には、ＣＰＵ７０を接続すると共に、ボタン制御基板（ＳＷ基板）３２及び７セグメントＬＥＤ基板（７セグ基板）３４を接続する。
前記ボタン制御基板３２には、設定終了後に設定を確定するための確定スイッチ３２ａを備える。
【００５５】
前記７セグメントＬＥＤ基板３４には、選択的に６つの設定を切替え可能な切替スイッチ３４ａ、及び前述した７セグメントＬＥＤ１６を備える。
以上の構成により、鍵スイッチ４３のスイッチのＯＮ／ＯＦＦを針金等により配線上で切替える不正や異物により、誤設定が発生することを防止することができる。
【００５６】
次に、図６に示す論理値説明図と共に、上述した回路に発生し得る論理値の状態について説明する。
【００５７】
まず正常状態について説明する。
１）鍵スイッチ４３がＯＦＦの場合
ラインａ，ｂ，ｄ，ｆ，ｈには信号Ｈが送信され、ラインｃ，ｅ，ｇには信号Ｌが送信される。また、異常を検出するラインｉには正常を示す信号Ｌが送信される。
【００５８】
２）鍵スイッチ４３がＯＮの場合
ラインａ，ｂ，ｄ，ｆ，ｈには信号Ｌが送信され、ラインｃ，ｅ，ｇには信号Ｈが送信される。また、異常を検出するラインｉには正常を示す信号Ｌが送信される。
【００５９】
次に、異常状態について説明する。
鍵スイッチ４３は、設定変更を行うとき以外はＯＦＦとなっているため、異常状態が発生するのは鍵スイッチ４３がＯＦＦの場合と考えられる。従って、ラインａが信号Ｈを送信している場合で考えられる異常状態について説明する。
【００６０】
３）ラインｂが針金等によってＧＮＤラインと短絡したような場合
ラインｂ，ｄ，ｆで送信する信号がＨからＬに変わり、差動式レシーバ６２（図５）の出力信号を送信するラインｈの信号は不定となる。フォトカプラ６４の出力信号を送信するラインｉの信号はＨとなり、異常が検出できる。
【００６１】
４）ラインｃが針金等によって５Ｖ電源ラインと短絡したような場合
ラインｃ，ｅ，ｇで送信する信号がＬからＨに変わり、差動式レシーバ６２（図５）の出力信号を送信するラインｈの信号は不定となる。フォトカプラ６４の出力信号を送信するラインｉの信号はＨとなり、異常が検出できる。
【００６２】
５）ラインｄが断線したような場合
ラインｄ，ｅ，ｆ，ｇで送信する信号が消滅し、差動式レシーバ６２の出力信号を送信するラインｈの信号も消滅する。フォトカプラ６４の出力信号を送信するラインｉの信号はＨとなり、異常が検出できる。
【００６３】
６）ラインｅが断線したような場合
ラインｄ，ｅ，ｆ，ｇで送信する信号が消滅し、差動式レシーバ６２の出力信号を送信するラインｈの信号も消滅する。フォトカプラ６４の出力信号を送信するラインｉの信号はＨとなり、異常が検出できる。
【００６４】
以上の動作により、鍵スイッチ４３から主基板２５の間で何らかの異常があった場合、フォトカプラ６４で異常を検出することができる。
【００６５】
従って、鍵スイッチ４３をスイッチＯＮしている間のみ、切替スイッチ３４ａで設定の切替え操作を許容することが実現可能となる。これにより、従来のように鍵スイッチ４３がスイッチＯＮのときと同一状態が発生してしまい、切替スイッチ３４ａで設定変更がされ、ボタン制御基板３２の確定スイッチ３２ａで設定変更が確定するという事態を回避することができる。
【００６６】
このようにして、図７の回路図に示す従来のパチスロ機のように、配線パターン１５５、ハーネス１３５、及び配線パターン１６３が各１本であり、どこかでＧＮＤラインと短絡すれば鍵スイッチ１４３をＯＮしたのと同一状態になって設定変更が可能となる問題を回避することができる。なお、図７に示す従来のパチスロ機は、バッファ１６９及びＣＰＵ１７０を備えた主基板１２５、鍵スイッチ１４３を内蔵するスイッチ基板１５１を備えた電源ユニット１３１、確定スイッチ１３２ａを備えたボタン制御基板１３２、７セグメントＬＥＤ１１６及び切替スイッチ１３４ａを備えた７セグメントＬＥＤ基板１３４で構成する。
【００６７】
なお、以上の実施形態では、差動式ドライバ６０を電源ユニット３１に備えたが、これに加えて、又はこれの代わりに、メダルセレクタ３３でメダル数をカウントするセンサ近傍に差動式ドライバ６０を備えても良い。この場合は、メダルを投入せずに投入信号を作り出して不正に遊技するような行為を防止することができる。
【００６８】
また、パチスロ機に限らず、パチンコ機等の他の遊技機に差動式ドライバ６０、差動式レシーバ６２、及びフォトカプラ６４等を備えて異常を検知可能に構成しても良い。
【００６９】
また、差動式レシーバ６２を備えず、配線パターン６１，６１のラインｆ，ｇを直接バッファ６９に入力し、ラインｆ，ｇから受信する信号をＣＰＵ７０で処理するように構成しても良い。
【００７０】
この場合、ＣＰＵ７０はソフトウェア処理を実行し、ラインｆ，ｇからの入力信号の組合せに基づいて、図６の論理値表に示したようにラインａでの信号がＨかＬのいずれであったかを判定するように構成すればよい。
【００７１】
さらにこの場合、フォトカプラ６４も省略し、ラインｆ，ｇからの入力信号の組合せからソフトウェア処理にて異常状態の発生（例えば信号切替えのタイムラグ等）を検出するように構成しても良い。
これらにより、差動式レシーバ６２やフォトカプラ６４を省略して回路を簡略化することができる。
【００７２】
この発明の構成と、上述の実施形態との対応において、
この発明の遊技機は、実施形態のパチスロ機１に対応し、
以下同様に、
制御手段及びメイン基板は、主基板２５に対応し、
電源ユニットは、電源ユニット３１に対応し、
接続線は、ハーネス３５、配線パターン５５，６１に対応し、
スイッチ手段は、鍵スイッチ４３に対応し、
送信手段は、差動式ドライバ６０に対応し、
受信手段は、差動式レシーバ６２に対応し、
異常検知手段及びフォトカプラ式検知手段は、フォトカプラ６４に対応し、
スイッチ信号は、信号Ｈ，Ｌに対応するも、
この発明は、上述の実施形態の構成のみに限定されるものではなく、多くの実施の形態を得ることができる。
【図面の簡単な説明】
【図１】パチスロ機の外観を示す正面図。
【図２】パチスロ機の内部構造を示す正面図。
【図３】電源ユニットの外観と構成を示す斜視図。
【図４】鍵スイッチユニットの外観と構成を示す斜視図。
【図５】電源ユニットと主基板との接続部を示す回路図。
【図６】差動式レシーバとフォトカプラの入出力の論理値を示す説明図。
【図７】従来の電源ユニットと主基板との接続部を示す回路図。
【符号の説明】
１…パチスロ機
２５…主基板
３１…電源ユニット
３５…ハーネス
４３…鍵スイッチ
５５…配線パターン
６０…差動式ドライバ
６１…配線パターン
６２…差動式レシーバ
６４…フォトカプラ
Ｈ，Ｌ…信号
【図１】
2004313569.tif 000003
【図２】
2004313569.tif 000004
【図３】
2004313569.tif 000005
【図４】
2004313569.tif 000006
【図５】
2004313569.tif 000007
【図６】
2004313569.tif 000008
【図７】
2004313569.tif 000009